(57)【特許請求の範囲】
【請求項１】
容器体内の液状薬剤を吸い上げる吸上芯を前記容器体の口部の開口部に差し込んでセットする揮散器において、
前記口部に装着して前記開口部を閉鎖する閉鎖部材を備え、
該閉鎖部材は、前記口部に内嵌する筒状の周壁と、該周壁の下端を連設する底面とを備え、該底面に前記吸上芯が差し込まれる脆弱部を設定して、該脆弱部に前記吸上芯を差し込んで差込穴を形成した状態で当該脆弱部の一部が前記吸上芯の周面に密着する舌片を形成可能に構成するとともに、
前記底面を、前記周壁側から中央部へ向かうに従って前記吸上芯の差込方向へ向けて突出する形状に形成したことを特徴とする揮散器。
【請求項２】
前記底面を前記吸上芯の差込方向へ向けて突出する断面Ｕ字状に形成したことを特徴とする請求項１記載の揮散器。
【請求項３】
前記閉鎖部材の前記周壁の内側面に、挿通する前記吸上芯の前記周面に密接する凸条を全周に渡って延設したことを特徴とする請求項１又は２記載の揮散器。
【請求項４】
前記吸上芯が差し込まれる前記脆弱部を、その中心部へ向かうに従って薄肉となるように設定したことを特徴とする請求項１、２又は３記載の揮散器。
【請求項５】
前記吸上芯が差し込まれる前記脆弱部の部位に中央部で溝状の線が交差した＊状の昜破断部を設けたことを特徴とする請求項１から４にいずれか記載の揮散器。
【発明の詳細な説明】
【技術分野】
【０００１】
本発明は、液状薬剤を揮散する揮散器に関する。
【背景技術】
【０００２】
従来、香料及び殺虫剤等の液状薬剤を揮散する揮散器が知られている（例えば、特許文献１参照。）。
【０００３】
この揮散器は、香料や殺虫剤が収容された容器と、該容器の口部を閉鎖する蓋と、該蓋の差し込み穴に差し込まれる拡散ピンとを備えている。
【０００４】
該拡散ピンは、前記差し込み穴に差し込まれる吸液性の軸と、該軸の上端に設けられた球状の頭部とによって構成されており、前記容器内の殺虫剤を前記軸で吸い上げて前記頭部より揮散できるように構成されている。
【先行技術文献】
【特許文献】
【０００５】
【特許文献１】登録実用新案第３０５６２５１号公報
【発明の概要】
【発明が解決しようとする課題】
【０００６】
しかしながら、このような従来の揮散器にあっては、容器の口部における開口部を閉鎖する蓋に、予め差し込み穴が開設されている。
【０００７】
このため、この差し込み穴の内径寸法が差し込みピンの外形寸法より大径の場合、あるいあは差し込みピンの外径形状と差し込み穴の内径形状とが異なる場合には、差し込みピンの外周部に隙間が形成される。すると、容器転倒時に、その隙間から液状薬剤が漏れてしまう。
【０００８】
このような不具合を解消する為には、前記差し込み穴の内径と前記差し込みピンの外形とを、高い精度で加工しなければならず、製造コストの増加要因となり得る。
【０００９】
本発明は、このような従来の課題に鑑みてなされたものであり、コスト高を招くことなく、液漏れを防止することができる揮散器を提供することを目的とするものである。
【課題を解決するための手段】
【００１０】
前記課題を解決するために本発明の請求項１の揮散器にあっては、容器体内の液状薬剤を吸い上げる吸上芯を前記容器体の口部の開口部に差し込んでセットする揮散器において、前記口部に装着して前記開口部を閉鎖する閉鎖部材を備え、該閉鎖部材は、前記口部に内嵌する筒状の周壁と、該周壁の下端を連設する底面とを備え、該底面に前記吸上芯が差し込まれる脆弱部を設定して、該脆弱部に前記吸上芯を差し込んで差込穴を形成した状態で当該脆弱部の一部が前記吸上芯の周面に密着する舌片を形成可能に構成するとともに、前記底面を、前記周壁側から中央部へ向かうに従って前記吸上芯の差込方向へ向けて突出する形状に形成した。
【００１１】
すなわち、液状薬剤が収容された容器体の口部には、閉鎖部材が装着されており、当該口部の開口部は、前記閉鎖部材によって閉鎖される。
【００１２】
このため、当該揮散器を配送等する際には、前記閉鎖部材で閉鎖された前記口部からの液状薬剤の不用意な漏れが防止される。
【００１３】
一方、前記容器体に吸上芯をセットする際に、前記閉鎖部材に設定された脆弱部に前記吸上芯を差し込む。すると、当該脆弱部が破綻して差込穴が形成され、前記吸上芯が挿通される。
【００１４】
このとき、前記脆弱部に前記吸上芯を差し込んだ状態では、当該脆弱部の一部が前記吸上芯の周面に密着する舌片を形成する。このため、前記吸上芯の周面には、前記脆弱部の一部が構成する舌片により水密性が維持される。
【００１６】
また、前記閉鎖部材は、前記口部に内嵌する筒状の周壁と、該周壁の下端を連設する底面とで構成されており、該底面に、前記吸上芯が差し込まれる前記脆弱部が設定されている。
【００１７】
このような構造において、前記吸上芯を前記底面に差し込んだ際には、前記周壁が外側へ広がろうとする。しかし、当該周壁は、前記口部に内嵌されており、外方への広がりが阻止される。これにより、開設された差込穴の不用意な拡張が防止され、前記脆弱部の一部が形成する前記舌片の前記吸上芯周面への密着性が維持される。
また、請求項２の揮散器においては、前記底面を前記吸上芯の差込方向へ向けて突出する断面Ｕ字状に形成した。
【００１８】
さらに、請求項３の揮散器では、前記閉鎖部材の前記周壁の内側面に、挿通する前記吸上芯の前記周面に密接する凸条を全周に渡って延設した。
【００１９】
すなわち、前記閉鎖部材の前記周壁の内側面には、挿通する前記吸上芯の前記周面に密接する凸条が全周に渡って延設されており、該凸条が前記吸上芯の前記周面に部分的に密着することで、当該吸上芯の挿入が容易に行われ、かつ液漏れが防止される。
【００２０】
このため、前記舌片のみの場合と比較して、水密性の向上および吸上芯の不用意な抜け防止効果が向上する。
【００２１】
加えて、請求項４の揮散器にあっては、前記吸上芯が差し込まれる前記脆弱部を、その中心部へ向かうに従って薄肉となるように設定した。
【００２２】
すなわち、前記脆弱部は、前記吸上芯が差し込まれる中心部へ向かうに従って薄肉に形成されており、当該中心部への前記吸上芯の差込が容易に行われる。
【００２３】
また、この薄肉に形成された脆弱部の中心部に前記差込穴が形成された際には、該差込穴の外周部に形成される前記舌片は、先端へ向かうに従って薄肉となる。このため、舌片の先端部が厚肉に形成される場合と比較して、柔軟性が高まり、吸上芯周面への密着容易性が高められる。
【００２４】
また、請求項５の揮散器においては、前記吸上芯が差し込まれる前記脆弱部の部位に中央部で溝状の線が交差した＊状の昜破断部を設けた。
【００２５】
すなわち、前記吸上芯が差し込まれる前記脆弱部の部位には、中央部で溝状の線が交差した＊状の昜破断部が設けられているため、前記舌片の形成が容易となる。また、舌片の形状が統一され、舌片が不均一となる事に起因した液漏れが防止される。
【発明の効果】
【００２６】
以上説明したように本発明の請求項１の薬剤容器にあっては、液状薬剤が収容された容器体の口部に閉鎖部材を装着することで、当該口部の開口部を前記閉鎖部材で閉鎖することができる。
【００２７】
このため、当該揮散器を配送等する際には、前記閉鎖部材で閉鎖された前記口部からの液状薬剤の不用意な液漏れを防止することができる。
【００２８】
一方、前記容器体に吸上芯をセットする際に、前記閉鎖部材に設定された脆弱部に前記吸上芯を差し込む。すると、当該脆弱部が破綻して差込穴が形成され、前記吸上芯が挿通される。
【００２９】
このとき、前記脆弱部に前記吸上芯を差し込んだ状態では、当該脆弱部の一部が前記吸上芯の周面に密着する舌片を形成する。このため、前記吸上芯の周面には、前記脆弱部の一部が構成する舌片が密着することで、水密性を維持することができる。
【００３０】
このため、容器における口部の蓋に予め開設された差し込み穴へ差し込みピンを差し込む構造上、差込ピンの外周部に形成される間隙より液漏れが生じないように、差し込み穴の内径寸法と差し込みピンの外形寸法とを精度良く加工しなければならなかった従来と比較して、加工時のコスト高を招くことなく、転倒時等での液漏れを防止することができる。
【００３１】
また、前記閉鎖部材を、前記口部に内嵌する筒状の周壁と、該周壁の下端を連設する底面とで構成し、該底面に、前記吸上芯が差し込まれる前記脆弱部を設定した。
【００３２】
このような構造において、前記吸上芯を前記底面に差し込むと、前記周壁が外側へ広がろうとする。しかし、当該周壁は、前記口部に内嵌されており、外方への広がりが阻止される。これにより、開設された差込穴の不用意な拡張が防止され、前記脆弱部の一部が形成する前記舌片の前記吸上芯周面への密着性を維持することができる。
【００３３】
このため、例えば前記周壁が前記口部に外嵌する場合と比較して、より水密性を高めることができるとともに、前記吸上芯が多少傾倒された場合であっても間隙の形成を防止することができる。
【００３４】
さらに、請求項３の揮散器では、前記閉鎖部材の前記周壁の内側面に、挿通する前記吸上芯の前記周面に密接する凸条が全周に渡って延設されており、該凸条が前記吸上芯の前記周面に部分的に密着することで、当該吸上芯の挿入を容易に行え、かつ液漏れを防止することができる。
【００３５】
このため、前記舌片のみの場合と比較して、水密性の向上および吸上芯の不用意な抜け防止効果が向上する。
【００３６】
加えて、請求項４の揮散器にあっては、前記脆弱部を、前記吸上芯が差し込まれる中心部へ向かうに従って薄肉に形成したため、当該中心部への前記吸上芯の差込を容易に行うことができる。
【００３７】
また、この薄肉に形成された脆弱部の中心部に前記差込穴が形成された際には、該差込穴の外周部に形成される前記舌片は、先端へ向かうに従って薄肉となる。
【００３８】
このため、舌片の先端部が厚肉に形成される場合と比較して、柔軟性が高まり吸上芯周面への密着性を高めることができ、水密性の向上を図ることができる。
【００３９】
また、請求項５の揮散器においては、前記吸上芯が差し込まれる前記脆弱部の部位に、中央部で溝状の線が交差した＊状の昜破断部を設けたので、前記舌片の形成が容易となる。また、舌片の形状を統一でき、舌片が不均一となる事に起因した液漏れを防止することができる。
【図面の簡単な説明】
【００４０】
【図１】本発明の第一の実施の形態を示す分解斜視図である。
【図２】同実施の形態の要部を拡大した断面図である。
【図３】同実施の形態の断面図である。
【図４】同実施の形態の構成部品を示す図で、（ａ）は正面図であり、（ｂ）は、側面から見た要部の断面図である。
【図５】（ａ）は、本発明の第二の実施の形態を示す図であり、（ｂ）は、本発明の第三の実施の形態を示す図である。
【図６】（ａ）は、本発明の第四の実施の形態を示す図で、（ｂ）は、本発明の第五の実施の形態を示す図である。
【発明を実施するための形態】
【００４１】
（第一の実施の形態）
【００４２】
以下、本発明の第一の実施の形態を図に従って説明する。
【００４３】
図１は、本実施の形態にかかる揮散器１を示す図であり、該揮散器１は、液状薬剤２を揮散するものである。
【００４４】
この液状薬剤２としては、芳香剤、消臭剤、防虫剤、殺虫剤、忌避剤等が挙げられ、本実施の形態では、前記液状薬剤２が芳香剤で構成された場合を例に挙げて説明する。
【００４５】
この揮散器１は、前記液状薬剤２が収容された容器体１１と、該容器体１１の口部１２の開口部１３に内嵌され当該開口部１３を閉鎖する閉鎖部材としてのキャップ１４と、該キャップ１４の上部に配置されるパッキン１５と、前記口部１２に装着される蓋体１６と、前記容器体１１にセットされる吸上芯１７と、該吸上芯１７の基端部に取り付けられる揮散部１８とによって構成されている。
【００４６】
前記容器体１１は、無色透明のガラス瓶によって構成されており、内部には、前記液状薬剤２が収容されている。この容器体１１には、上方へ向けて延出した円筒状の前記口部１２が一体形成されており、該口部１２の外周面には、雄ねじ部２１が形成されている。この口部の端部には、開口部１３が形成されており、該開口部１３によって内部と外部とが連通している。
【００４７】
この口部１２の前記開口部１３には、図２にも示すように、前記キャップ１４が装着されるように構成されている。該キャップ１４の素材としては、弾性及び可塑性を有するプラスチック、具体的には、ポリエチレン、ポリプロピレン、ポリ塩化ビニル、エチレン−酢酸ビニル共重合体、エチレン−プロピレン共重合体などが挙げられる。
【００４８】
このキャップ１４は、前記口部１２の前記開口部１３に内嵌される有底筒状の内嵌部３１が形成されており、使用前状態では、当該キャップ１４によって前記口部１２の前記開口部１３を閉鎖し、前記液状薬剤２の漏れを防止できるように構成されている。
【００４９】
この内嵌部３１は、前記口部１２に内嵌する筒状の周壁３５と、該周壁３５の下端を連設する底面３６とからなり、該底面３６は、他の部位と比較して薄肉に形成され、その中心部へ向かうに従って薄肉となるように構成されている。これにより、当該底面３６には、脆弱部３７が形成されている。
【００５０】
前記吸上芯１７が差し込まれる前記脆弱部３７の中心部には、中央部で溝状の線が交差した＊状の昜破断部が設けられている（図示省略）。
【００５１】
この底面３６は、図３に示したように、前記吸上芯１７が差し込まれた際に、前記昜破断部の中心から放射状に破綻して開口し差込穴４１が開設されるように構成されており、破綻した底面３６部分は、図３にも示すように、前記吸上芯１７の周面４２の全周に渡って密着する舌片４３を形成するように構成されている。前記内嵌部３１の周壁３５内面には、三本のリング条４５，・・・が周方向全域に渡って延設されており、各リング条４５，・・・は、前記吸上芯１７の周面４２に密着するように構成されている。
【００５２】
前記内嵌部３１の前記周壁３５の上縁からは、側方へ向けて鍔部５１が延出しており、該鍔部５１は、円形リング状に形成されている。該鍔部５１は、図２に示したように、前記内嵌部３１を前記口部１２の前記開口部１３に内嵌した状態で、前記口部１２の上端に密着するように構成されており、この鍔部５１の上部には、円形リング状に形成された合成樹脂製の前記パッキン１５が載置されるように構成されている。前記キャップ１４が装着されるとともに前記鍔部５１に前記パッキン１５が載置された前記口部１２には、前記蓋部１６が装着されるように構成されている。
【００５３】
この蓋部１６も合成樹脂で形成されており、当該蓋部１６は、図１に示したように、円筒状の筒部６１と、該筒部６１の上縁より内側へ向けて延出した天部６２とによって一体形成されている。該天部６２の中央には、円形穴６３が開設されており、該円形穴６３は、前記吸上芯１７を挿通できる大きさに形成されている。
【００５４】
前記円筒部６１の外周面には、図１に示したように、等間隔をおいた四ヶ所に円形状の平坦部７１，・・・が形成されており、対向位置に配置された平坦部７１，７１を指で摘めるように構成されている。前記円筒部６１の内周面には、図２に示したように、前記口部１２の雄ねじ部２１と螺合する雌ねじ部７２が形成されており、前記平坦部７１，７１を摘んだ指で当該蓋部１６を回転操作することで、当該蓋部１６を前記口部１２に螺着できるように構成されている。このとき、当該蓋部１６の前記天部６２と前記キャップ１４の前記鍔部５１とには、前記パッキン１５が密着するように構成されており、水密性を確保できるように構成されている。
【００５５】
前記吸上芯１７は、図４に示すように、円柱状に形成された木材などの剛性を有する多孔質の素材で構成されており、形成された多数の細い管による毛細管現象により前記容器体１１内の前記液状薬剤２を吸い上げ可能に構成されている。この吸上芯１７の先端部には、先端へ向かうに従って縮径した先細り形状の突刺部８１が形成されており、前記キャップ１４の前記底面３６を突き通して前記差込穴４１を形成できるように構成されれている。これにより、この吸上芯１７を前記容器体１１に設けられた前記キャップ１４の前記差込穴４１に差し込むことで、当該吸上芯１７を前記容器体１１にセットできるように構成されている。
【００５６】
前記吸上芯１７の周面４２には、当該吸上芯１７を前記差込穴４１に差し込む際に該差込穴４１の内縁９１との間に間隙９２を形成する逃がし溝９３が形成されている。この逃がし溝９３は、前記吸上芯１７の長さ方向に延在する直線状に形成されており、前記逃がし溝９３は、当該吸上芯１７の先端側に形成されている。これにより、該吸上芯１７の先端側には、前記逃がし溝９３が形成された溝有領域９５が設定されており、当該吸上芯１７の基端側には、前記逃がし溝９３を不具備な溝無領域９６が設定されている。
【００５７】
前記吸上芯１７の前記溝無領域９６は、図１に示したように、当該吸上芯１７を前記差込穴４１に差し込んで当該吸上芯１７の先端が前記容器体１１の底面１０１に達したセット状態１０２において、当該溝無領域９６が前記差込穴４１の前記内縁９１の高さ位置に達するように、その範囲が設定されている。
【００５８】
そして、この吸上芯１７の基端部には、図４にも示したように、当該吸上芯１７で吸い上げた前記液状薬剤２を揮散する為の前記揮散部１８が取り付けられている。該揮散部１８は、円筒状に加工された木材によって形成されており、前記液状薬剤２を吸収するとともに揮散できるように構成されている。
【００５９】
この揮散部１８の下部には、円形の挿通穴１１１が外周面１１２から内周面１１３へ貫通されており、該挿通穴１１１には、前記吸上芯１７の基端部が挿通されている。この挿通穴１１１に対向する前記揮散部１８の前記内周面１１３の部位には、円形の内嵌穴１１４が凹設されており、該内嵌穴１１４には、前記挿通穴１１１を挿通した前記吸上芯１７の基端部が内嵌された状態で固定されている。
【００６０】
この揮散部１８は、円筒形状の一端が正面部１２１を構成しており、その他端が背面部１２２を構成している。また、前記外周面１１２の一側部が左側部１２３を構成しており、他方が右側部１２４を構成している。前記正面部１２１及び前記背面部１２２のいずれでも良いが、本実施の形態では、前記正面部１２１を例えば利用者側である前方へ向けた状態で、前記逃がし溝９３が側方、具体的には左方へ向くように当該逃がし溝９３が配置されている。
【００６１】
以上の構成にかかる本実施において、液状薬剤２が収容された容器体１１の口部には、閉鎖部材としてのキャップ１４が装着されており、当該口部１２の開口部１３は、前記キャップ１４によって閉鎖されている。
【００６２】
このため、当該揮散器１を配送等する際には、前記キャップ１４で閉鎖された前記口部１２からの液状薬剤２の不用意な液漏れを防止することができ、搬送時等での不具合を防止することができる。
【００６３】
一方、前記容器体１１に吸上芯１７をセットする際に、前記キャップ１４の底面３６に設定された脆弱部３７に前記吸上芯１７を差し込む。すると、当該脆弱部３７が破綻して差込穴４１が形成され、前記吸上芯１７が挿通される。このとき、前記底面３６は、その中心部へ向かうに従って薄肉に形成されており、前記吸上芯１７は、その中心部が縮径した先細り形状に形成されている。このため、前記吸上芯１７の先端部を前記キャップ１４の底面３６に容易に差し込むことができる。
【００６４】
また、このとき前記脆弱部３７に前記吸上芯１７を差し込んだ状態では、当該脆弱部３７の一部が前記吸上芯１７の周面４２に密着する舌片４３を形成する。このため、前記吸上芯１７の周面４２には、前記脆弱部３７の一部が構成する前記舌片４３が密着することで、水密性を維持することができる。
【００６５】
このため、容器における口部の蓋に予め開設された差し込み穴へ差し込みピンを差し込む構造上、差込ピンの外周部に形成される間隙より液漏れが生じないように、差し込み穴の内径寸法と差し込みピンの外形寸法とを精度良く加工しなければならなかった従来と比較して、加工時のコスト高を招くことなく、転倒時等での液漏れを防止することができる。
【００６６】
このとき、前記吸上芯１７が差し込まれる前記脆弱部３７の部位には、中央部で溝状の線が交差した＊状の昜破断部が設けられており、前記脆弱部３７は、当該昜破断部を中心として放射状に破綻することで、前記舌片４３の形成が容易となる。
【００６７】
また、各舌片４３，・・・の形状が統一され、各舌片４３，・・・が不均一となる事に起因した液漏れを未然に防止することができる。
【００６８】
さらに、前記キャップ１４の内嵌部３１を、前記口部１２に内嵌する筒状の周壁３５と、該周壁３５の下端を連設する底面３６とで構成し、該底面３６に、前記吸上芯１７が差し込まれる前記脆弱部３７を設定した。
【００６９】
このような構造において、前記吸上芯１７を前記底面３６に差し込むと、前記周壁３５が外側へ広がろうとする。しかし、当該周壁３５は、前記口部１２に内嵌されており、外方への広がりが阻止される。これにより、開設された差込穴４１の不用意な拡張が防止され、前記脆弱部３７の一部が形成する前記舌片４３の前記吸上芯１７周面４２への密着性を維持することができる。
【００７０】
このため、例えば前記周壁３５が前記口部１２に外嵌する場合と比較して、より水密性を高めることができるとともに、前記吸上芯１７が多少傾倒された場合であっても間隙の形成を防止することができる。
【００７１】
そして、前記脆弱部３７は、前記吸上芯１７が差し込まれる中心部へ向かうに従って薄肉に形成されており、当該中心部への前記吸上芯１７の差し込みを容易に行うことができる。
【００７２】
また、この薄肉に形成された脆弱部３７の中心部に前記差込穴４１が形成された際には、該差込穴４１の外周部に形成される前記舌片４３は、先端へ向かうに従って薄肉となる。
【００７３】
このため、この舌片４３の先端部が厚肉に形成される場合と比較して、柔軟性が高まり吸上芯１７周面４２への密着性を高めることができ、水密性の向上を図ることができる。
【００７４】
一方、前記キャップ１４の前記周壁３５の内側面には、挿通する前記吸上芯１７の前記周面４２に密接する凸条としてのリング条４５，・・・が全周に渡って延設されている。
【００７５】
このため、このリング条４５，・・・が前記吸上芯１７の前記周面４２に部分的に密着することで、当該吸上芯１７の挿入を容易とし、かつ液漏れを防止することができる。
【００７６】
なお、本実施の形態では、前記吸上芯１７の先端部に設けられた突刺部８１の斜面形状が丸みを帯びた場合を例に挙げて説明したが、この形状に限定されるものではない。
【００７７】
（第二の実施の形態）
【００７８】
すなわち、図５の（ａ）に示したように、前記吸上芯１７の先端部に円錐状の突刺部２０１を設けても良い。
【００７９】
（第三の実施の形態）
【００８０】
さらには、図５の（ｂ）に示したように、前記吸上芯１７の先端部に円錐状に形成された突刺部２１１斜面の傾斜角度を第二の実施の形態の突刺部２０１の斜面の傾斜角度より緩いものとしても良い。
【００８１】
この場合、突刺部２１１全体の長さを抑えることができる。
【００８２】
なお、前述した各実施の形態では、前記吸上芯１７の先端部を先細り形状にしたものを例に挙げて説明したが、これに限定されるもので無い。
【００８３】
（第四の実施の形態）
【００８４】
すなわち、図６の（ａ）に示すように、前記キャップ１４の前記リング条４５から前記舌片４３にかけて、前記吸上芯１７が錐状になっているものであっても良い。
【００８５】
（第五の実施の形態）
【００８６】
また、図６の（ｂ）に示すように、前記リング条４５が保持している部分の前記吸上芯１７は円柱状であり、その下側であって前記舌片４３が保持している部分の前記吸上芯１７の形状が錐状になっているものであっても良い。
【符号の説明】
【００８７】
１    揮散器
２    液状薬剤
１１    容器体
１２    口部
１３    開口部
１４    キャップ
３５    周壁
３６    底面
３７    脆弱部
１７    吸上芯
４１    差込穴
４２    周面
４３    舌片
【図１】
0005806906.tif 000002
【図２】
0005806906.tif 000003
【図３】
0005806906.tif 000004
【図４】
0005806906.tif 000005
【図５】
0005806906.tif 000006
【図６】
0005806906.tif 000007